(57)【要約】【課題】  目地溝に充填されているシーリング材を更新するに際し、新たに充填するシーリング材の接着を確実にして、強固なシーリング材層を形成して目地における漏水を完全に防止する。【解決手段】  ＡＬＣパネルを用いた建物外壁の目地溝に充填されているシーリング材をＡＬＣパネルと共に切除して、再形成された目地溝に新たなシーリング材を充填する目地改修方法。古いシーリング材の切除には、刃先の縦断面形状が目地溝の断面形状と同じである回転式切削冶具を用いることが好ましい。【選択図】  図１
2007146539.tif 000002
【特許請求の範囲】
【請求項１】
ＡＬＣパネルを用いた建物外壁の目地溝に充填されているシーリング材をＡＬＣパネルと共に切除して、再形成された目地溝に新たなシーリング材を充填することを特徴とする目地改修方法。
【請求項２】
前記再形成された目地溝の断面形状が、元の目地溝の断面形状とほぼ同じであることを特徴とする請求項１に記載の目地改修方法。
【請求項３】
前記シーリング材の切除と同時に、外壁パネルの欠け防止のために設けられている４周面取り加工部の付着している塗料の除去も合わせて行うことを特徴とする請求項１又は請求項２に記載の目地改修方法。
【請求項４】
上記シーリング材および付着塗料の除去に回転式切削冶具、微振動式切削冶具、固定刃式切削冶具を用いることを特徴とする請求項１から請求項３のいずれか１項に記載の目地改修方法。
【請求項５】
前記回転式切削冶具の刃先の縦断面形状が、前記建物外壁の目地溝の断面形状と同じであることを特徴とする請求項４に記載の目地改修方法。
【発明の詳細な説明】
【技術分野】
【０００１】
本発明は、建物外壁における目地溝に充填されている、シリコン又は非シリコン系シーリング材を改修する目地改修方法に関する。
【背景技術】
【０００２】
軽量気泡コンクリート（以下、ＡＬＣと呼ぶ。）パネルは、建物の壁、床、屋根等に使用されている。通常、建築外壁に用いられているＡＬＣパネルは、古くは挿入筋、ボルト止め、カバープレート止め等の各種構法により建物躯体に固定され、最近であれば乾式ロッキング構法等により建物躯体に固定されている。建物躯体に固定されたＡＬＣパネルの版間の目地には、漏水防止を目的としてシリコン又は非シリコン系シーリング材を充填してシーリングを施した後、全面に塗装を施して仕上げられる。
【０００３】
これらシーリング材の経年劣化に際しては該シーリング材をカッター等で除去した後清浄化し、新たなシーリング材を充填している。
シーリング材の除去方法としては、例えばシーリング材をカッターで除去した後、メチルアルコール等の溶剤をカッター除去後のシーリング材の残留薄層に塗布し、拭き取って新たなシーリング材を充填している（例えば、特許文献１参照。）。
あるいは、シーリング材をカッターで除去した後、有機酸からなるシーリング材溶解液をカッター除去後の目地溝に充填し、シーリング材の残留薄層を溶解除去後新たなシーリング材を充填している（例えば、特許文献２参照。）。
【特許文献１】特開平６−１４６６１４号公報
【特許文献２】特開２００１−１４０３６５号公報
【発明の開示】
【発明が解決しようとする課題】
【０００４】
上述したような従来のシーリング材の改修方法では、既設のシーリング材をカッター等で除去しているが、目地溝側面内に除去しきれないシーリング材の薄層が残留するのを回避するのが難しく、また、外壁ＡＬＣパネル間におけるシーリング材と界面にあたる面取り部の付着塗料の除去も困難であり、これらシーリング材の残留薄層、界面の付着塗料等が新たに充填したシーリング材との界面に介在することになり、これが界面における漏水の原因となる。
【０００５】
特に既設のシーリング材がシリコン系シーリング材で、新たなシーリング材が非シリコン系シーリング材であった場合、両者は親和性に欠け、シリコン系シーリング材の残留薄層と非シリコン系シーリング材との界面に接着不良を来たし、同様に漏水を招来する。
前記先行例の特許文献１に示したように、溶剤を残留薄層に塗布する方法では残留薄層を膨潤する作用は有するが溶解する機能を有さず、拭き取っても残留薄層基層部の残留を回避し難く、これが新たに充填されるシーリング材との界面に介在して、接着不良（防水瑕疵）を来す恐れを有している。
また、前記先行例の特許文献２に示したように、有機酸からなるシーリング材溶解液の充填を行う場合には、シーリング材の残留薄層のみならずＡＬＣパネル母材が侵食される恐れを有している。
【０００６】
本発明は、上記のようにＡＬＣパネルを用いた建物外壁における目地溝に充填されているシーリング材を更新するに際し、新たに充填するシーリング材の接着を確実にして、強固なシーリング材層を形成して目地における漏水を完全に防止する方法を提供することを目的としている。
【課題を解決するための手段】
【０００７】
上記課題を解決するため、本発明ではＡＬＣパネルを用いた建物外壁の目地溝に充填されているシーリング材をＡＬＣパネルと共に切除して、再形成された目地溝に新たなシーリング材を充填する目地改修方法を採用した。
この方法に依れば、ＡＬＣパネルの持つ被切削性の良さを利用して、シーリング材と共にＡＬＣパネルも同時に切削除去することにより新たな目地溝を作成した上で、改めてシーリング材を充填してシーリング材の接着を確実にすることが可能となり、目地からの漏洩を完全に防止することができる。
【０００８】
本発明においては、前記再形成された目地溝の断面形状が、元の目地溝の断面形状とほぼ同じであることが好ましい。
また本発明においては、前記シーリング材の切除と同時に、外壁パネルの欠け防止のために設けられている４周面取り加工部の付着している塗料の除去も合わせて行うことが望ましい。
建物外壁の構成を変えることなく、強固なシーリングを確実の再生させるためである。
【０００９】
本発明においては、上記シーリング材および付着塗料の除去に回転式切削冶具、微振動式切削冶具、固定刃式切削冶具を用いることができる。
また、回転式切削冶具の使用に当たっては、該回転式切削冶具の刃先の縦断面形状が、前記建物外壁の目地溝の断面形状と同じであることが好ましい。
簡単な方法で建物外壁の構成を変えることなく、目地を確実に再生させるためである。
【発明の効果】
【００１０】
以上説明したように本発明によればＡＬＣパネルを用いた建物外壁における目地改修の方法において、カッター等の冶具、また、有機酸等の各種薬品を用いることなく、既設のシーリング材の残留薄層および仕上げ塗材に起因する漏水の問題を有効に解消し、健全なる改修作業を保証できる。
更に、新たに充填するシーリング材がシリコン系であっても、非シリコン系であっても新たなシーリング材の接着は良好であり漏水を生じることのない目地改修が行える。
また、回転式、微振動式、手動式、固定式等の各種切削冶具を適宜採用することにより、外壁開口部、端部等の目地改修も適切に行うことができ、目的を有効に達成することができる。
【発明を実施するための最良の形態】
【００１１】
以下図面を使用して本発明について説明する。
図１は本発明のＡＬＣ建築物における目地改修方法を説明する工程図である。
図１（Ａ）に示すように、ＡＬＣパネルを用いた建物外壁１，１の目地溝２には、一般にシリコン系又は非シリコン系のシーリング材２ａが充填されている。また、ＡＬＣパネルの欠け防止に設けられているパネルの外周の面取り部１ａ，１ａには、仕上げ塗材３ａが付着している。
このシーリング材２ａ、仕上げ塗材３ａを図２に示す断面形状の切削ビット４を具備した回転式切削冶具でＡＬＣパネル１の目地溝部の表面と同時に切削し、図１（Ｂ）に示すように、目地溝、面取り部も含めたＡＬＣパネルの新たな目地部２’が得られる。
切除はシーリング材２ａ及び仕上げ塗材３ａが除去できればよいが、完全に除去するためにはＡＬＣパネル１の一部も僅かに削り取るのが好ましい。このため目地溝の形状が若干変化してもかまわないが、元の目地溝の形状を保って相似形に削り取るのが良い。
【００１２】
図２に示す断面形状の切削ビット４は、先端部がストレートのドリル刃４ａになっており、上部はテーパ付きの皿形ネジ状のドリル刃４ｂになっている。先端部のストレートのドリル刃４ａの外径は、元のＡＬＣパネルの目地溝の幅と同じか僅かに大きく形成しておく。また、ドリル刃４ｂの長さは、元のＡＬＣパネルの目地溝の深さと同じか僅かに長く形成しておく。上部のテーパは、ＡＬＣパネル外周の面取り部のなす角度と同じにしてある。切削ビットの断面形状をこのように形成しておき、補修すべき目地に沿って回転式切削冶具を移動させることにより、古い仕上げ塗材及びシーリング材を削除した時点で、元のＡＬＣパネルの目地溝とほぼ同じか僅かに大きな新たな目地溝を形成することができる。
【００１３】
次に、図１（Ｂ）に示すような新たなＡＬＣパネルの目地部２’が得られた後は、新築時と同様図１（Ｃ）に示すように、シラン系、合成ゴム系、エポキシ系等のプライマーを塗布した後新たなシーリング材２bを充填する。
新たなシーリング材２ｂを充填した後、図１（Ｄ）に示すように、新たな仕上げ塗材３ｂを施こす。これによってＡＬＣパネルを用いた建物外壁の劣化した目地を改修することができる。
【００１４】
図３（Ａ）から図３（Ｄ）は、目地溝にバックアップ材を使用している場合の目地の補修方法を説明する工程図で示す。この例では図３（Ａ）に示すように、ＡＬＣパネル１，１の接合部が僅かに離れており、その目地部１１にシーリング材２ｂを支持するためのバックアップ材５が充填されている。そしてこのバックアップ材５の上に先の例と同様に、シーリング材２ｂを充填し、表面に仕上げ塗材３ｂを塗布して仕上げる。通常はバックアップ材まで劣化して損傷していることはないので、目地の補修は先の場合と同様に、古い仕上げ塗材３ｂとシーリング材２ｂをＡＬＣパネル１の面取り部１ａの一部と共に削除し、新たなＡＬＣパネルの目地部１’を形成した後、新たなシーリング材２ｂを充填して新たな仕上げ塗材３ｂを施こす。
目地の改修手順や作業方法は前述と同様である。
【００１５】
図４に、手動式切削治具の外観斜視図を示す。
図５は、図４に示す手動式切削治具１４の平面図（Ａ）、側面図（Ｂ）、裏面図（Ｃ）、正面図（Ｄ）である。
この手動式切削治具１４は、滑り台状の切削治具本体１５の斜面上に切削バイト１６が載置され、切削バイト１６はネジ１７で切削治具本体１５の斜面の任意の位置に固定できるようになっている。
切削バイト１６の先端は、元のＡＬＣパネルの目地溝の幅と同じか僅かに大きく形成してある。
切削治具本体１５の両側面は、ＡＬＣパネル外周の面取り部と同じ角度を有する斜面に形成されており、ガイド板２１の内面を摺動できるようになっている。ガイド板２１の中心部には切削バイト１６を突出させるための窓２２が設けてある。
【００１６】
図６は、手動式切削治具を使用した目地の改修方法を示す外観斜視図である。
ＡＬＣパネル１の目地部１１に、目地部の開き角度と同じ角度を有するガイド板２１を当て、ガイド板２１の内面に前記の手動式切削治具１４を当接させて移動させながら、手動式切削治具の切削バイト１６を調節して古いシーリング材を切除していく。
シーリング材を切除した後の補修方法は、前述と同様である。
【図面の簡単な説明】
【００１７】
【図１】本発明のＡＬＣ建築物における目地改修方法を説明する工程図である。
【図２】切削ビットの断面形状の一例を示す図である。
【図３】別の目地改修方法の工程を説明する図である。
【図４】手動式切削治具の外観斜視図である。
【図５】手動式切削治具の平面図（Ａ）、側面図（Ｂ）、裏面図（Ｃ）、正面図（Ｄ）である。
【図６】手動式冶具の使用方法を説明する図である。
【符号の説明】
【００１８】
１  ＡＬＣパネル、
２ａ、２ｂ  シーリング材、
３ａ、３ｂ  仕上げ塗材、
４  切削ビット、
５  バックアップ材、
１１  目地部、
１４  手動式切削治具、
２１  ガイド板
【図１】
2007146539.tif 000003
【図２】
2007146539.tif 000004
【図３】
2007146539.tif 000005
【図４】
2007146539.tif 000006
【図５】
2007146539.tif 000007
【図６】
2007146539.tif 000008